(57)【要約】【課題】    極めて簡単な作業で取り付けることができ、特殊な操作を必要とせずにダイバー同士が近距離で会話ができる水中マスクを提供する。【解決手段】  レギュレータによる空気供給を受けることが可能であって、ダイバーの口部前方にメガホンを設けてなり、該メガホンが、外部に延出する中空の拡声筒と、該拡声筒の外部の開口部縁端に振動板を設けた構成とする。【選択図】  図１
2005263051.tif 000002
【特許請求の範囲】
【請求項１】
レギュレータによる空気供給を受けることが可能であって、ダイバーの口部前方にメガホンを設けた水中マスクにおいて、
前記メガホンが、中空の拡声筒と、
該拡声筒の外部の開口部縁端に、ホルダ枠を介して設けられ、且つ水を振動させて、他の潜水者に意思を通達する振動板から構成されることを特徴とする、水中通話用マスク。
【請求項２】
前記振動板が、チタン、アルミニウム、それらの合金、及びカーボンからなる群からいずれか１つ選択した材料で構成される、請求項１に記載の水中通話用マスク。
【請求項３】
前記ホルダ枠が、独立気泡構造の発泡合成樹脂素材からなることを特徴とする、請求項１若しくは２に記載の水中通話用マスク。
【発明の詳細な説明】
【技術分野】
【０００１】
本願発明は、レギュレータによる空気供給を受けることが可能であって、水中通話に好適なマスクに関する。
【背景技術】
【０００２】
従来より、水中呼吸だけでなく、他のダイバーとの意思疎通を図れることを目的としたスキューバ潜水装置が種々開発されており、レギュレータを固定できる潜水マスクと、該潜水マスクに組み込まれた音声受信用マイクロホンから構成されるものがある。そして、ダイバーが搬送する通信装置を単純化し、ダイバーの負担を軽減するための技術が提案されてきた。
【０００３】
しかしながら、上記の従来技術には次のような問題点がある。例えば、マイクロホンとヘッドホンとをダイバー用マスク装置に一体的に組み込んだもの等は、現場でのバッテリー交換作業だけでなく日常の保守作業が必要である。そのような作業が容易に行えることが前提であるとしても、個々の装置につき特有の使用方法の知識を習得することが必要であり、交換用の部品の準備や複数種のケーブルコネクタを相互に接続する作業が必要となる。また、使用現場では、緊急の作動が要求される場合がしばしばあるが、このような状況下において、装備品の使用方法の知識不足のために装置の作動がわずかにでも遅れることは、ダイバーにとって大きなストレスとなる。
【０００４】
特開平５−１６８７９号公報には、機器の制限を大幅に除去し、システム使用時のダイバーの労力を最小限に減少させることを目的として、超音波水中音声通信装置一体型ダイバー用フェイスマスクが開示されている。このダイバー用マスク装置は、外部ケーブル等の露出部を全て排除して衝突及び超音波場の干渉を防止し、音声に無関係なノイズの抑制の程度を改良し、他のマスクにも適合可能であることが開示されている。しかしながら、上記の特許公開公報に開示されたダイバー用マスク装置であっても、特有の使用方法の知識の習得が必要であり、日常の保守作業や高価な交換用部品の準備が必要であることに変わりはない。
【０００５】
【特許文献１】特開平５−１６８７９号公報
【発明の開示】
【発明が解決しようとする課題】
【０００６】
本願発明は、上記の従来技術における問題点を克服し、極めて簡単な作業で取り付けることができ、特殊な操作を必要とせずにダイバー同士が近距離で会話ができる水中マスクを提供することを課題とする。
【課題を解決するための手段】
【０００７】
上記の課題を解決すべく、本願発明の水中マスクは、レギュレータによる空気供給を受けることが可能であって、ダイバーの口部前方にメガホンを設けてなり、該メガホンが、外部に延出する中空の拡声筒と、該拡声筒の外部の開口部縁端に、ホルダ枠を介して振動板を設けた構成としたものである。そして、該振動板は、上記水中マスクを装着したダイバーが該水中マスク内で発する音声により水を振動させて、他の潜水者に意思を通達することを特徴とする。
【発明の効果】
【０００８】
本願発明の水中通話用マスクによれば、拡声筒を水中マスク本体に取り付けるだけで、特別な訓練を必要とせずに自由に呼吸をしながら、少なくとも前方３ｍの範囲内で、他のダイバーと音声による明確な意思表示をすることができる。
【発明を実施するための最良の形態】
【０００９】
上述したように、本願発明の水中通話用マスクは、レギュレータによる空気供給を受けることが可能であって、ダイバーの口部前方にメガホンを水中マスク本体に設けてなる構成を有する。上記したようにレギュレータによる空気供給を可能にするため、例えば、水中マスクの外部からレギュレータを装着できるように、上記水中マスク本体にレギュレータ装着部を設けることができる。尚、本願発明で使用する水中マスク本体は、フルフェイスマスク、フェイスマスク、マウスマスク等、レギュレータによる空気供給を受けることが可能なものであれば、いずれの形態の水中マスク本体であっても良く、必要に応じて適宜選択して使用される。
【００１０】
また、上記のメガホンは、中空の拡声筒と、水を振動させて、他の潜水者に意思を通達する振動板から構成される。中空の拡声筒は、該拡声筒の開口部が、ダイバーの口部前方に形設されるように、水中マスク本体に耐漏水的に設けられる。該拡声筒は、水中マスク本体に取り付ける以外に、水中マスク本体と一体成形された態様とすることもできる。中空の拡声筒は、軽量且つ剛性の高い材料により構成されており、イソプレンゴム、シリコンゴム等の合成ゴムや、熱硬化性樹脂、スチロール樹脂、アクリル樹脂、ポリプロピレン等の硬質プラスチック、チタン、アルミニウム、それらの合金、及びカーボン等の材料を少なくとも１種類選択して成型したものであることが好ましい。また、上記の拡声筒の外形は、円錐形、多角錐形、その他各種立体形状を採用することができる。
【００１１】
また、上記の拡声筒の外部の開口部縁端には、ホルダ枠を介して振動板が耐漏水的に設けられる。該振動板としては、硬質且つ軽量のものが用いられる。尚、シリコンゴム等の可撓性のある素材では、音声による振動が極めて生じにくいため、振動板には適さない。従って、本発明で使用する振動板としては、チタン、アルミニウム、それらの合金、及びカーボンからなる群から選択される材料を０．１〜０．４ｍｍの板状に成形したものを用いることが好ましい。更に、潜水機器との接触等による損傷を防止するため、該振動板の外面に保護部材を設けることもできる。或いは、吸気時に振動板の著しく変形することを防止する目的で、該振動板の内側にも、保護部材を設けることができる。
【００１２】
振動板を拡声筒の外部の開口部縁端に取り付けるホルダ枠は、振動板を音声によって敏感に振動させるとともに、振動板と開口部縁端の間隙を充填して、メガホンを防水構造にする機能を有する。該ホルダ枠としては、可撓性の高い合成樹脂素材、例えば、アクリロニトリルブタジエンゴム、ウレタンゴム、クロロプレンゴム、スチレンブタジエンゴム、フッ素ゴム等の合成ゴムからなる発泡性樹脂素材を使用することが好ましい。硬質な合成樹脂素材、例えば、アクリル樹脂、ポリプロピレン等の硬質プラスチックや硬質ゴムでホルダ枠を構成した場合、ダイバーの音声を伝達できる範囲は極めて限定されるので、水中通話を行うには適さない。
【実施例】
【００１３】
以下、図面に基づいて、この発明の実施例に係る水中通話用マスクを説明する。
【００１４】
図１において、１は本願発明の水中通話用マスクを示し、タンク２にレギュレータ（図示せず）とマウスマスク１０とが接続されている。また、図５の断面図に示されるように、マウスマスク１０にはメガホン３を継合装着するメガホン装着部１４が設けられており、該メガホン装着部１４は、水中通話用マスク１を装着したダイバーの口部前方の位置に形成されている。一方、メガホン３の外部の開口部縁端５には、振動板６が耐漏水的に設けられている。該振動板６は、上記水中マスクを装着したダイバーが該水中マスク内で発する音声により水を振動させ、ダイバーが発する音声を少なくとも前方３ｍの範囲にわたって伝達する。
【００１５】
メガホン３は、中空且つ円錐筒状の拡声筒４と該拡声筒４の外側の開口部縁端５に設けられる振動板６で構成される。該拡声筒４、メガホン装着部１４に継合装着され、ダイバーの口部前方にメガホン３が位置するように構成される。拡声筒４は、アクリル樹脂、ポリプロピレン等の硬質プラスチックによってほぼ中空の円錐筒状に成形されている。振動板６は、チタン、アルミニウム、それらの合金等で構成されており、上記拡声筒４の外側の開口部分を覆うようにホルダ枠７を介して取り付けられる。このホルダ枠７は、クロロプレンゴム等の独立気泡構造の発泡合成樹脂素材で構成されており、振動板６を音声によって敏感に振動させるともに、振動板６と開口部縁端５の間隙を充填して、メガホン３を防水構造にしている。
【００１６】
図５に示すように、上記した実施例に使用されるマウスマスク１０は、マスク本体１１と、マスク本体１１の内側に設けられたインナー部１２で構成されている。マスク本体１１は合成樹脂製である。また、マスク本体１１は、図４の上面図において、着用者の顔面との密着性を高めるため、上記の鼻の付け根及び上唇の間に位置する部分において、その形状が略Ｕ字状になるように、やや抉られた形状に形成されている。マスク本体１１は、イソプレンゴム、シリコンゴム等の合成ゴムによってほぼ碗形状に成形されている。
【００１７】
インナー部１２は、クロロプレンゴム等の独立気泡構造の発泡合成樹脂素材を用いて、マスク本体１１の内側を完全に覆うように取り付けられる。インナー部１２は、マスク本体１１の形状に適合し、水中通話用マスク１を着用したときに、該マスクの着用者の顔面に弾性的且つ耐漏水的に面状に密着する形状を有する。また、図５において、上記マスク着用者のあごを置くことができるように、凹状に成形されたあご当接部２０が設けられている。更に、図４、図５において、該インナー部１２に設けられた該周縁部１３は、マスク本体１１の周辺縁部に沿って、マスク本体１１の形状に適合するように設けられている。また、図３〜図５において、周縁部１３は、マスク本体１１の周辺縁部から外側に拡張しており、鼻の付け根及び上唇に隣接した顔面の両頬部の間の部分において、１２ｍｍ〜１７ｍｍ、その他の部分において１２ｍｍ〜１５ｍｍの範囲でマスク本体１１の周辺縁部から伸延している。尚、該周縁部１３の端面は、テーパー面がマスク装着者の顔側に向くようにテーパー加工されている。
【００１８】
水中通話用マスク１は、脱落防止のため、バックル１６ａを外面両側に備えている。バックル１６ａは、バックル取付部１６ｃにより回動可能な状態でマスク本体１１に取り付けられている。実施例の水中通話用マスク１は、バックル１６ａ、バックル１６ｂにより潜水用キャップ２１が脱着可能となるように、図１に示すような形態で使用することができる。
【図面の簡単な説明】
【００１９】
【図１】本発明の実施例に係る水中通話用マスク１を用いた自給気式潜水具の概略構成図である。
【図２】本発明の実施例に係る水中通話用マスク１の正面図である。
【図３】本発明の実施例に係る水中通話用マスク１の背面図である。
【図４】本発明の実施例に係る水中通話用マスク１の上面図である。
【図５】図２のＡ−Ａ’線断面図である。
【符号の説明】
【００２０】
１    水中通話用マスク
２    タンク
３    メガホン
４    拡声筒
５    開口部縁端
６    振動板
７    ホルダ枠
１０    水中通話用マウスマスク
１１    マスク本体
１２    インナー部
１３    周縁部
１４    マイクロホン装着部
１５    レギュレータ装着部
１６ａ  バックル（ソケット）
１６ｂ  バックル（プラグ）
１６ｃ  バックル取付部
１７    固定バンド
１８    顔面固定部
１９    あご固定部
２０    あご当接部
２１    潜水用キャップ
【図１】
2005263051.tif 000003
【図２】
2005263051.tif 000004
【図３】
2005263051.tif 000005
【図４】
2005263051.tif 000006
【図５】
2005263051.tif 000007